(57)【要約】【課題】  携帯し易く、使用利便性が高い携帯式メディアカラオケ装置を提供する。【解決手段】  内部にエコーモジュール、ミキサー及びメモリが設けられ、一側の上部から下部まで順序にモニタ、制御部及びスピーカーが設けられると共に、他側にコ字形の伸縮ハンドルが設けられ、該伸縮ハンドルの下部にキャスターが設けられる本体ボックスを備えることを特徴とする。【選択図】  図１
0003109969.tif 000002
【実用新案登録請求の範囲】
【請求項１】
内部にエコーモジュール、ミキサー及びメモリが設けられ、一側の上部から下部まで順序にモニタ、制御部及びスピーカーが設けられると共に、他側にコ字形の伸縮ハンドルが設けられ、該伸縮ハンドルの下部にキャスターが設けられる本体ボックスを備えることを特徴とする携帯式メディアカラオケ装置。
【請求項２】
前記本体ボックスの両側にマイクフレームと枢設部を有するスピーカーが設けられ、該マイクフレームにマイクが設けられることを特徴とする請求項１に記載の携帯式メディアカラオケ装置。
【請求項３】
前記本体ボックスの両側に取付プレートによって補助スピーカーが設けられることを特徴とする請求項１に記載の携帯式メディアカラオケ装置。
【考案の詳細な説明】
【技術分野】
【０００１】
本考案は、特に携帯し易く、使用利便性の高い携帯式メディアカラオケ装置に関するものである。
【背景技術】
【０００２】
従来のメディア装置は、映像と音声の輸出及びカラオケ効果を有するものであり、エコーモジュールと、ミキサーモジュールと、コードレスマイクモジュールとを具備し、テレビとスピーカーに接続することにより、カラオケ効果を提供するものである。
【考案の開示】
【考案が解決しようとする課題】
【０００３】
しかしながら、前記従来のメディア装置のエコーモジュール、ミキサーモジュール、コードレスマイクモジュール、テレビ及びスピーカーは夫々独立の部材であるため、屋外において使用する場合、持ち運びが非常に不便である。
【０００４】
又、従来のメディア装置を屋外で使用する際、各部材を組立てる必要があり、更に、各部材の間の接続用コードの数量も多いので、使用及び携帯利便性が非常に低いという問題があった。
【０００５】
そこで、案出されたのが本考案であって、携帯し易く、使用利便性が高い携帯式メディアカラオケ装置を提供することを目的としている。
【課題を解決するための手段】
【０００６】
本願の請求項１の考案は、内部にエコーモジュール、ミキサー及びメモリが設けられ、一側の上部から下部まで順序にモニタ、制御部及びスピーカーが設けられると共に、他側にコ字形の伸縮ハンドルが設けられ、該伸縮ハンドルの下部にキャスターが設けられる本体ボックスを備えることを特徴とする携帯式メディアカラオケ装置及び、
本願の請求項２の考案は、前記本体ボックスの両側にマイクフレームと枢設部を有するスピーカーが設けられ、該マイクフレームにマイクが設けられることを特徴とする請求項１に記載の携帯式メディアカラオケ装置及び、
本願の請求項３の考案は、前記本体ボックスの両側に取付プレートによって補助スピーカーが設けられることを特徴とする請求項１に記載の携帯式メディアカラオケ装置、を提供する。
【考案の効果】
【０００７】
本考案は上記の課題を解決するものであり、内部にエコーモジュール、ミキサー及びメモリが設けられ、一側の上部から下部にかけて順にモニタ、制御部及びスピーカーが設けられると共に、他側に伸縮ハンドルが設けられ、該伸縮ハンドルの下部にキャスターが設けられる本体ボックスを備えることにより、旅行ボックス又は旅行かばんのように移動するので、持ち運びの利便性を高めることができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係る携帯式メディアカラオケ装置の第１実施例を示す斜視図であり、図２は本考案に係る携帯式メディアカラオケ装置の第１実施例の使用状態を示す斜視図であり、図３は本考案に係る携帯式メディアカラオケ装置の第２実施例を示す斜視図であり、図４は本考案に係る携帯式メディアカラオケ装置の第１実施例の他の使用状態を示す斜視図であり、図５は本考案に係る携帯式メディアカラオケ装置の車内の使用状態を示す平面図であり、図６は本考案に係る携帯式メディアカラオケ装置の第３実施例を示す斜視図である。
【００１０】
図１及び図２に示すように、本考案に係る携帯式メディアカラオケ装置の第１実施例は、内部にエコーモジュール、ミキサー及びメモリが設けられ、一側の上部から下部まで順序にモニタ（１１）、制御部（１２）及びスピーカー（１３）が設けられると共に、他側にコ字形の伸縮ハンドル（１４）が設けられ、該伸縮ハンドル（１４）の下部にキャスター（１５）が設けられる本体ボックス（１０）と、前記本体ボックス（１０）の上面に設けられるアンテナ（１６）と、前記本体ボックス（１０）の両側に設けられるマイクフレーム（１７）とを備える。
【００１１】
前記マイクフレーム（１７）にコード付きマイク（１８）が設けられ、該コード付きマイク（１８）のプラグ（１９）が本体ボックス（１０）におけるソケット（符号なし）と接続する。
【００１２】
又、本体ボックス（１０）に旅行ボックス又は旅行かばんのようなコ字形の伸縮ハンドル（１４）とキャスター（１５）が設けられるので、携帯の利便性を向上することができる。
【００１３】
図３に示すように、本考案に係る携帯式メディアカラオケ装置の第２実施例は、前記第１実施例とほとんど等しく、異なるのは、本体ボックス（１０）の両側に取付プレート（２１）によって補助スピーカー（２０）が設けられることにより、素敵なステレオ効果を得ることができる。
【００１４】
又、図４に示すように、前記第１実施例の本体ボックス（１０）の下部に該本体ボックス（１０）と接続すると共に、内部にベーススピーカー（３２）を有する位置決めケース（３０）が設けられ、該位置決めケース（３０）の下部に移動用のキャスター（３１）が設けられることにより、ステレオ効果を更に向上することができ、又、マイクフレーム（１７）にコード付きマイクの変わりにコードレスマイク（１８１）が設けられることにより、使用の利便性を向上する。
【００１５】
図５に示すように、本考案に係る携帯式メディアカラオケ装置を自動車（４０）に使用する場合、前記本体ボックス（１０）を自動車（４０）の適当な位置に放置することで、屋外へ例えばキャンプする際、使用者は直ぐ本考案の携帯式メディアカラオケ装置を利用し、カラオケすることができ、非常に便利である。
【００１６】
図６に示すように、本考案に係る携帯式メディアカラオケ装置の第３実施例は、前記第１実施例とほとんど等しく、異なるのは、本体ボックス（１０）の両側に枢設部（２２）を有するスピーカー（２３）が設けられ、該スピーカー（２３）を使用しない時、本体ボックス（１０）の側辺に折り畳むことができ、又、本体ボックス（１０）の上面にTVゲーム装置（１０１）が設けられることにより、娯楽効果を向上することができる。
【産業上の利用可能性】
【００１７】
本考案は上記の構成を有し、内部にエコーモジュール、ミキサー及びメモリが設けられ、一側の上部から下部にかけて順にモニタ、制御部及びスピーカーが設けられると共に、他側に伸縮ハンドルが設けられ、該伸縮ハンドルの下部にキャスターが設けられる本体ボックスを備えることにより、旅行ボックス又は旅行かばんのように移動するので、持ち運びの利便性を高めることができる。
【図面の簡単な説明】
【００１８】
【図１】本考案に係る携帯式メディアカラオケ装置の第１実施例を示す斜視図である。
【図２】本考案に係る携帯式メディアカラオケ装置の第１実施例の使用状態を示す斜視図である。
【図３】本考案に係る携帯式メディアカラオケ装置の第２実施例を示す斜視図である。
【図４】本考案に係る携帯式メディアカラオケ装置の第１実施例の他の使用状態を示す斜視図である。
【図５】本考案に係る携帯式メディアカラオケ装置の車内の使用状態を示す平面図である。
【図６】本考案に係る携帯式メディアカラオケ装置の第３実施例を示す斜視図である。
【符号の説明】
【００１９】
１０        本体ボックス
１０１      TVゲーム装置
１１        モニタ
１２        制御部
１３        スピーカー
１４        伸縮式ハンドル
１５        キャスター
１６        アンテナ
１７        マイクフレーム
１８        コード付きマイク
１８１      コードレスマイク
１９        プラグ
２０        補助スピーカー
２１        取付プレート
２２        枢設部
２３        スピーカー
３０        位置決めケース
３１        キャスター
３２        ベーススピーカー
４０        自動車
【図１】
0003109969.tif 000003
【図２】
0003109969.tif 000004
【図３】
0003109969.tif 000005
【図４】
0003109969.tif 000006
【図５】
0003109969.tif 000007
【図６】
0003109969.tif 000008